(57)【要約】【課題】音声発生玩具に於いて、容易に携帯可能で、場所を問わずに音声を発出し得る音声発生玩具を提供する。【解決手段】感圧スイッチ１３を備えた複数の無線タグユニット１２ａ〜１２ｊを任意の位置に配し、使用者が感圧スイッチ１３を押圧することによって、該無線タグユニット１２ａ〜１２ｊを特定する為の個別情報を受信部１６に無線送信する。受信部１６は該個別情報に基づいて受信部側記憶部１７に格納された音声データを発出する。【選択図】図６
2006280796.tif 000002
【特許請求の範囲】
【請求項１】
複数の無線タグユニットと、
受信部と
を備え、
前記各無線タグユニットは、
使用者が押圧したことによってＯＮの状態となる感圧スイッチと、
前記各無線タグユニットを個々に特定する為の個別情報を記憶するタグ側記憶部と、
前記各感圧スイッチがＯＮの状態となった際に前記タグ側記憶部に格納された前記個別情報を読み出して無線送信するタグ側制御部と
をそれぞれ備え、
前記受信部は、
前記各無線タグユニットにそれぞれ対応する音声データを格納する受信部側記憶部と、
前記受信部側記憶部に格納された前記音声データを選択する選択部と、
音声を発出する出力部と、
無線送信された前記個別情報を受信し、当該個別情報に基づき前記選択部により対応する前記音声データを選択して前記出力部に発出制御する受信部側制御部と
を備えることを特徴とする音声発生玩具。
【請求項２】
請求項１に記載の音声発生玩具であって、前記各無線タグユニットに搭載され、前記タグ側制御部に給電を行う電源を更に備えることを特徴とする音声発生玩具。
【請求項３】
請求項１に記載の音声発生玩具であって、前記各無線タグユニットは、面ファスナによって手袋の各指腹部に取り付けられ、前記受信部側記憶部は、所定の音階の内、前記各指腹部に対応する音声データを前記個別情報に対応付けて格納することを特徴とする音声発生玩具。
【請求項４】
請求項１に記載の音声発生玩具であって、前記各無線タグユニットは、表面の一部に文字または図形がそれぞれ明示され、前記受信部側記憶部は、前記文字または図形に関連する音声データを前記個別情報に対応付けて格納することを特徴とする音声発生玩具。
【発明の詳細な説明】
【技術分野】
【０００１】
本発明は、音声発生玩具に関する。
【背景技術】
【０００２】
従来の音声発生玩具に於いては、実用新案文献１に開示されている如く、手袋１３Ｒ、１３Ｌ（図１３参照）の各指腹部に感圧スイッチ１３３をそれぞれ配置し、各感圧スイッチ１３３毎に引き回しされた電気配線１３２に接続された選択回路１３５、発音手段１３６及び電源１３７を該手袋１３Ｒ、１３Ｌの手首部甲側に配置したものがある。この音声発生玩具は、感圧スイッチ１３３がＯＮの状態となると、記憶部に格納された各種音声データの中から所定の音声データを選択回路１３５が選択し、選択された音声データを発音手段１３６が発出するものである。
【０００３】
【特許文献１】実開平０７−０３１０９６号公報
【発明の開示】
【発明が解決しようとする課題】
【０００４】
しかしながら、上記の様な従来技術に於いては、各感圧スイッチ１３３毎に電気配線１３２を引き回す必要があり、その電気配線１３２により使用者の手の動きが妨げられるだけでなく、小型化が困難であること、また、使用者の手の大きさに合わせた手袋１３Ｒ、１３Ｌに感圧スイッチ１３３、記憶部（図示省略）、選択回路１３５及び発音手段１３６を配置する必要があり、製造工程が煩雑になること、更に、使用者は手の大きさに合わせた音声発生玩具を購入する必要があるという問題点があった。
【０００５】
本発明は、上記課題に鑑みてなされてものであり、音声発生玩具の小型化及び製造工程の簡素化を図ると共に、使用者の手の大きさ等の身体的特徴に拘わらず、容易に楽しめる音声発生玩具を提供することを目的とする。
【課題を解決するための手段】
【０００６】
上記課題を解決する為に、請求項１に記載の発明は、複数の無線タグユニットと、受信部とを備え、前記各無線タグユニットは、使用者が押圧したことによってＯＮの状態となる感圧スイッチと、前記各無線タグユニットを個々に特定する為の個別情報を記憶するタグ側記憶部と、前記各感圧スイッチがＯＮの状態となった際に前記タグ側記憶部に格納された前記個別情報を読み出して無線送信するタグ側制御部とをそれぞれ備え、前記受信部は、前記各無線タグユニットにそれぞれ対応する音声データを格納する受信部側記憶部と、前記受信部側記憶部に格納された前記音声データを選択する選択部と、音声を発出する出力部と、無線送信された前記個別情報を受信し、当該個別情報に基づき前記選択部により対応する前記音声データを選択して前記出力部に発出制御する受信部側制御部とを備えることを特徴とするものである。
【０００７】
請求項２に記載の発明は、請求項１に記載の音声発生玩具であって、前記各無線タグユニットに搭載され、前記タグ側制御部に給電を行う電源を更に備えることを特徴とするものである。
【０００８】
請求項３に記載の発明は、請求項１に記載の音声発生玩具であって、前記各無線タグユニットは、面ファスナによって手袋の各指腹部に取り付けられ、前記受信部側記憶部は、所定の音階の内、前記各指腹部に対応する音声データを前記個別情報に対応付けて格納することを特徴とするものである。
【０００９】
請求項４に記載の発明は、請求項１に記載の音声発生玩具であって、前記各無線タグユニットは、表面の一部に文字または図形がそれぞれ明示され、前記受信部側記憶部は、前記文字または図形に関連する音声データを前記個別情報に対応付けて格納することを特徴とするものである。
【発明の効果】
【００１０】
請求項１に記載の発明に依れば、感圧スイッチが無線タグユニットに搭載されており、出力部とは電気配線が引き回しされていないので、操作性が向上するだけでなく、多様な形態の音声発生玩具を提供することが可能となる。
【００１１】
請求項２に記載の発明に依れば、複数の無線タグユニットのそれぞれに電源を搭載しているので、各無線タグユニットからの無線送信範囲が拡大し、更に操作性が向上する。
【００１２】
請求項３に記載の発明に依れば、各無線タグユニットは、面ファスナによって手袋の各指腹部に取り付けられており、各無線タグユニットと受信部とは電気配線が引き回しされていないので、使用者の指の形に適応する様に各無線タグユニットを着脱することが可能であり、操作性が向上する。また、受信部側記憶部は、所定の音階の内、各指腹部に対応する音声データを格納しているので、使用者は手袋を装着した状態で、恰も鍵盤楽器を演奏する要領で各指腹部を壁や机に押し付けることにより、鍵盤楽器を有さずとも演奏することが可能となると共に、持ち運び時に手袋を装着したままの状態や、折り畳んでポケット等に入れた状態で容易に持ち運ぶことが可能となる。
【００１３】
請求項４に記載の発明に依れば、各無線タグユニットは、表面の一部に文字または図形がそれぞれ明示され、受信部側記憶部は、それらの文字または図形に関連する音声データを格納しているので、使用者は無線タグユニットを押圧することによって、無線タグユニットに明示された文字または図形の視覚情報を聴覚情報と関連付けて学習することが可能となる。
【発明を実施するための最良の形態】
【００１４】
以下、この発明の実施の形態に係る音声発生玩具について説明する。
【００１５】
〈第１の実施の形態〉
〈構成〉
図１は本発明の第１の実施の形態に係る音声発生玩具を示す図であり、図２は本発明の第１の実施の形態に係る音声発生玩具の無線タグユニットの平面図であり、図３は本発明の第１の実施の形態に係る音声発生玩具の無線タグユニットの側面図であり、図４は本発明の第１の実施の形態に係る音声発生玩具を手に装着した時の一部の縦断面図であり、図５は本発明の第１の実施の形態に係る音声発生玩具を手に装着した時の一部の平面図である。
【００１６】
この音声発生玩具１１は、図１に示す如く、複数の無線タグユニット１２ａ〜１２ｅが右手袋３２Ｒの各指腹部に取り付けられて、受信部１６Ｒが右手袋３２Ｒの手首部甲側に配置されると共に、複数の無線タグユニット１２ｆ〜１２ｊが左手袋３２Ｌの各指腹部に面ファスナ７１によって取り付けられて、受信部１６Ｌが左手袋３２Ｌの手首部甲側に配置されてなる。
【００１７】
各無線タグユニット１２ａ〜１２ｊは、図２及び図３に示す如く、フィルム基板３１上に感圧スイッチ１３やＩＣチップ３２が搭載されて、無線タグ本体部３３を形成し、この無線タグ本体部３３が布地カバー６１により覆われると共に、無線タグ本体部３３の裏面側に面ファスナ７１が取り付けられて構成される。
【００１８】
布地カバー６１は、例えば、ポリエステル等の化学繊維で形成され、無線タグ本体部３３の保護及び、使用者に対する安全性を確保する為のものである。
【００１９】
各無線タグユニット１２ａ〜１２ｊは、図４及び図５に示す如く、面ファスナ７１により、例えば、手袋３２Ｒ、３２Ｌの各指腹部４２にそれぞれ着脱自在に取付可能となっている。
【００２０】
図６は、各無線タグユニット１２ａ〜１２ｊの回路構成を示す図である。同図に示す如く、各無線タグユニット１２ａ〜１２ｊは、上記感圧スイッチ１３と、タグ側記憶部１４と、送信アンテナ１５ａを有するタグ側制御部１５を備えている。
【００２１】
感圧スイッチ１３は、感圧ゴムセンサを有するセンサスイッチの１つで、感圧ゴムセンサが押圧されることにより、スイッチがＯＮの状態となる様になっている。
【００２２】
タグ側記憶部１４は、例えば、半導体メモリが適用され、該無線タグユニット１２ａ〜１２ｊを特定する為の個別情報をディジタルデータ化して格納する。
【００２３】
タグ側制御部１５は、受信部１６からの電磁誘導により、電力を発生させ、上記感圧スイッチ１３がＯＮの状態となった時に、タグ側記憶部１４に格納された該個別情報を送信アンテナ１５ａを介して受信部１６に無線送信する。
【００２４】
受信部１６は、受信部側記憶部１７と、選択部１８と、出力部１９と、受信部側制御部１１０と、電源１１１と、スイッチ１１２を備えている。
【００２５】
受信部側記憶部１７は、例えば、フラッシュＲＯＭ等の書換可能な不揮発性メモリが適用され、複数の無線タグユニット１２ａ〜１２ｊにそれぞれ対応する音声データをディジタルデータ化して格納すると共に、選択部１８及び受信部側制御部１１０が動作する手順を定義したソフトウェアプログラムを格納する。
【００２６】
具体的には、受信部側記憶部１７に格納される音声データとして、例えば、右手親指腹部に配置される無線タグユニット１２ａに対しては西洋音階の「ド」の音声データを格納し、右手人差し指腹部に配置される無線タグユニット１２ｂに対しては「レ」の音声データを格納し、以下、鍵盤楽器を演奏する指の指腹部に配置される無線タグユニットに対してそれぞれ鍵盤楽器の音声データを格納する。
【００２７】
選択部１８は、ＲＡＭ等が接続されたＣＰＵに於いて、受信部側記憶部１７内に格納された上記ソフトウェアプログラムで定義された手順に従って動作する機能要素であり、複数の無線タグユニット１２ａ〜１２ｊの個別情報に基づいて受信部側記憶部１７内に格納された複数の音声データの中から所定の音声データを選択する。
【００２８】
出力部１９は、後述する受信部側制御部１１０から伝送された音声データをスピーカ１９ａを通じて発出する。
【００２９】
受信部側制御部１１０は、選択部１８と同一のＣＰＵを用いて、受信部側記憶部１７内に格納された上記ソフトウェアで定義された手順に従って動作する機能要素であり、電源１１１から給電された状態で、受信アンテナ１１０ａを通じてタグ側制御部１５を電磁誘導すると共に、これに反応したタグ側制御部１５から受信した該個別情報に基づいて選択部１８が受信部側記憶部１７内から選択した音声データを読み取って、当該音声データを出力部１９に伝送する。
【００３０】
電源１１１は、市販の乾電池等が適用される。
【００３１】
スイッチ１１２は、受信部１６に給電するか否かを選択するスイッチである。
【００３２】
〈動作〉
次に、上記の音声発生玩具１１の動作を説明する。
【００３３】
図１に示す如く、使用者は音声発生玩具１１を両手に装着し、机の上面や壁の表面に対して、恰も図８に示したピアノ等の鍵盤楽器を演奏する様に各指腹部４２を押圧する。
【００３４】
図６に示す如く、各指腹部４２に配置された無線タグユニット１２ａ〜１２ｊは、当接押圧されることにより、感圧スイッチ１３がＯＮの状態となり、タグ側制御部１５は、受信部側制御部１１０の電磁誘導に従って、タグ側記憶部１４に格納された該個別情報を送信アンテナ１５ａを介して受信部側制御部１１０に無線送信する。
【００３５】
受信部側制御部１１０は、電源１１１から給電された状態で、受信アンテナ１１０ａを介して受信した該個別情報に基づいて選択部１８が受信部側記憶部１７内から選択した音声データを読み取って、当該音声データを出力部１９に伝送する。
【００３６】
尚、選択部１８が受信部側記憶部１７内から選択する音声データは必ずしも１つである必要はなく、同時に或いは重複して複数の個別情報を受信部側制御部１１０が受信した場合には、同時に或いは重複して複数の音声データ（和音）を選択しても良い。
【００３７】
出力部１９は、受信部側制御部１１０から伝送された当該音声データをスピーカ１９ａを通じて発出する。
【００３８】
ここで、受信部側記憶部１７に格納される音声データは、右手親指腹部に配置される無線タグユニット１２ａに対しては西洋音階の「ド」の音声データを格納し、右手人差し指腹部に配置される無線タグユニット１２ｂに対しては「レ」の音声データを格納し、以下、鍵盤楽器を演奏する指の指腹部に配置される無線タグユニットに対してそれぞれ鍵盤楽器の音声データを格納しているので、使用者は恰も実際に鍵盤楽器を演奏している如く、旋律を奏でることが可能となる。
【００３９】
また、感圧スイッチ１２ａ〜１２ｊと受信部１６が無線接続されているので、使用者は自由に手を動かすことができ、音声発生玩具１１を小型化することが可能となる。
【００４０】
複数の無線タグユニット１２ａ〜１２ｅ及び１２ｆ〜１２ｊがそれぞれ面ファスナ７１により左右手袋３２Ｒ、３２Ｌの各指腹部４２に着脱可能な状態で取り付けられているので、使用者の指の形に適応する様に各無線タグユニット１２ａ〜１２ｊの位置を調節することができ、使用者の使い勝手が良い音声発生玩具を提供することが可能となる。また、場所を問わずに音声発生玩具１１を使用することが可能となる。
【００４１】
更に、手袋３２Ｒ、３２Ｌを装着したままの状態や、折り畳んでポケット等に入れた状態で容易に持ち運ぶことが可能となる。
【００４２】
尚、上記受信部側記憶部１７に格納される音声データとして、例えば、１０以下の要素からなる音階を各無線タグユニット１２ａ〜１２ｊに対して格納しても良い。
【００４３】
また、各無線タグユニット１２ａ〜１２ｊは、必ずしも左右手袋３２Ｒ、３２Ｌの各指腹部４２に取り付けられている必要はなく、複数の指サックの各指腹部に取り付けられていても良い。
【００４４】
更に、各無線タグユニット１２ａ〜１２ｊは面ファスナ７１をそれぞれ備えているので、必ずしも左右手袋３２Ｒ、３２Ｌの各指腹部に取り付けられている必要はなく、着衣の腹部や腕部等の任意の場所に取り付けても良い。
【００４５】
また、各無線タグユニット１２ａ〜１２ｊは、図７に示す如く、タグ側電源部２２を更に備えていても良い。
【００４６】
〈第２の実施の形態〉
〈構成〉
図９は、本発明の第２の実施の形態に係る音声発生玩具を示す図である。この音声発生玩具９１は、複数（より具体的には、例えば、１６個）の無線タグユニット９２ａ〜９２ｐと、受信部９３とを備え、各無線タグユニット９２ａ〜９２ｐはそれぞれ別体として設けられている。
【００４７】
無線タグユニット９２ａについてより具体的に説明すると、図１０及び図１１に示す如く、無線タグユニット９２ａは、フィルム基板１０１ａと、感圧スイッチ１０２ａと、送信部１０３ａと、布地カバー１０４ａを備え、フィルム基板１０１ａ上に感圧スイッチ１０２ａと、感圧スイッチ１０２ａと電気的に接続された送信部１０３ａが配置されており、これらの外周囲を布地カバー１０４ａで覆い、その上面（布地カバー１０４ａが後述する感圧スイッチ１０２ａと接する面でない面側）には平仮名の「る」が印字されている。
【００４８】
フィルム基板１０１ａは、例えば、ポリエステルフィルム等のプラスティックフィルムで形成されている。
【００４９】
感圧スイッチ１０２ａは、第１の実施の形態で示した感圧スイッチ１３と同様の構成であり、感圧ゴムセンサを有するセンサスイッチの１つで、この感圧ゴムセンサが押圧されることにより、スイッチがＯＮの状態となる様になっている。
【００５０】
送信部１０３ａは、第１の実施の形態で示したタグ側記憶部（半導体メモリ）１４と、送信アンテナ１５ａを有するタグ側制御部１５と同様のものを内蔵しており、タグ側記憶部１４内に該無線タグユニット９２ａを特定する為の個別情報をディジタルデータ化して格納すると共に、タグ側制御部１５は、受信部９３の電磁誘導により、電力を発生させ、上記感圧スイッチ１０２ａがＯＮの状態となった時に、タグ側記憶部１４に格納された該個別情報を送信アンテナ１５ａを介して後述する受信部９３に無線送信する。
【００５１】
尚、他の無線タグユニット９２ｂ〜９２ｐも同様の構成である。
【００５２】
これらの無線タグユニット９２ａ〜９２ｐは、図９に示す如く、机の上面や床上に並べて使用される。
【００５３】
受信部９３は、第１の実施の形態で示した受信部１６と同様の回路構成である為、詳細な説明は省略する。
【００５４】
但し、受信部側記憶部１７に格納される音声データとしては、例えば、無線タグユニット９２ａに対しては「る」の音声データを格納し、無線タグユニット９２ｂに対しては「ち」の音声データを格納し、以下、無線タグユニット９２ｃ〜９２ｐのそれぞれに対して表面に印字されている平仮名に対応する日本語の基本的な音節の発音データを格納する。
【００５５】
〈動作〉
図９に示す如く、使用者は複数の無線タグユニット９２ａ〜９２ｐを机の上面や床上に並べた状態で、任意の無線タグユニット（例えば、表面に「ち」が印字されている無線タグユニット９２ｂ）の感圧スイッチ（１０２ａ）を押圧する。
【００５６】
感圧スイッチ１０２ａは、当接押圧されることにより、ＯＮの状態となり、タグ側制御部１５（図６参照）は、受信部９３の電磁誘導により、電力を発生させ、タグ側記憶部１４に格納された該個別情報を送信アンテナ１５ａを介して受信部９３内の受信部側制御部１１０に無線送信する。
【００５７】
図６に示す如く、受信部側制御部１１０は、電源１１１から給電された状態で、受信アンテナ１１０ａを介して受信した該個別情報に基づいて選択部１８が受信部側記憶部１７内から選択した音声データを読み取って、当該音声データを出力部１９に伝送する。
【００５８】
出力部１９は、受信部側制御部１１０から伝送された当該音声データをスピーカ１９ａを通じて発出する。
【００５９】
ここで、受信部側記憶部１７に格納される音声データは、無線タグユニット９２ａに対しては「る」の音声データを格納し、無線タグユニット９２ｂに対しては「ち」の音声データを格納し、以下、無線タグユニット９２ｃ〜９２ｐのそれぞれに対して表面に印字されている平仮名に対応する日本語の基本的な音節の発音データを格納しているので、押圧した無線タグユニット９２ａ〜９２ｊに書かれている文字に応じた音声が受信部９３から発出されることとなり、文字教育玩具として使用することが可能となる。
【００６０】
尚、無線タグユニット９２ａ〜９２ｐのそれぞれに楽器や動物、車両等の図形を印刷し、感圧スイッチ１０２ａ〜１０２ｐを押圧することによって、受信部９３は無線タグユニット９２ａ〜９２ｐに印刷された図形と関連のある音色や鳴き声、車両に特有の効果音等の音声データを発出する様にしても良い。
【００６１】
更に、無線タグユニット９２ａ〜９２ｐのそれぞれに印刷された図形に関連する複数の音声データを受信部側記憶部１７に格納し、図１２に示す如く、各無線タグユニット９２ａ〜９２ｐに関連する複数の音声データの内いずれか１つを選択部１８が選択する様に切換スイッチ１２１を受信部９３側に更に備えれば、その切換スイッチ１２１によって発出する音声データを更に細かく切り換えることが可能となる。具体的には、例えば、図１２に示す如く、無線タグユニット９２ａに犬の画像を印刷し、受信部側記憶部１７に「いぬ」と「ワンワン！」の２つの音声データを格納し、受信部９３側に設ける切換スイッチ１２１によって「なまえ」と「こえ」を切り換えられる様にする。切換スイッチ１２１が「なまえ」側にある時は、感圧スイッチ１０２ａが押圧されることによって出力部１９は「いぬ」という音声を発出し、切換スイッチ１２１が「こえ」側にある時は、感圧スイッチ１０２ａ押圧されることによって出力部１９は「ワンワン！」という音声を発出することが可能となり、動物の名称と鳴き声を同時に学べる教育玩具となる。
【００６２】
上記の様な第２の実施の形態によって、以下の様なことが可能となる。
【００６３】
複数の無線タグユニット９２ａ〜９２ｐと受信部９３とがそれぞれ別体であるので、任意の位置に各無線タグユニット９２ａ〜９２ｐを配置することが可能となり、操作性が格段に向上する。また、複数の無線タグユニット９２ａ〜９２ｐと受信部９３とがそれぞれ別体であるので、容易に携帯可能となる。
【００６４】
複数の無線タグユニット９２ａ〜９２ｐのそれぞれに図７に示す如く、タグ側電源部２２を搭載すれば、各無線タグユニット９２ａ〜９２ｐからの無線送信範囲が拡大し、更に操作性が向上する。
【図面の簡単な説明】
【００６５】
【図１】本発明の第１の実施の形態に係る音声発生玩具を示す図である。
【図２】本発明の第１の実施の形態に係る音声発生玩具の無線タグユニットの平面図である。
【図３】本発明の第１の実施の形態に係る音声発生玩具の無線タグユニットの側面図である。
【図４】本発明の第１の実施の形態に係る音声発生玩具を手に装着した時の一部の縦断面図である。
【図５】本発明の第１の実施の形態に係る音声発生玩具を手に装着した時の一部の平面図である。
【図６】本発明の第１の実施の形態に係る音声発生玩具の回路構成を示すブロック図である。
【図７】本発明の第１の実施の形態に係る音声発生玩具の回路構成の変形例を示す図である。
【図８】一般的な鍵盤楽器の音階配置を示す図である。
【図９】本発明の第２の実施の形態に係る音声発生玩具を示す図である。
【図１０】本発明の第２の実施の形態に係る音声発生玩具の無線タグユニットの平面図である。
【図１１】本発明の第２の実施の形態に係る音声発生玩具の無線タグユニットの側面図である。
【図１２】本発明の第２の実施の形態に係る音声発生玩具の変形例を示す図である。
【図１３】従来の音声発生玩具を示す図である。
【符号の説明】
【００６６】
１１  音声発生玩具
１２ａ〜１２ｎ  無線タグユニット
１３  感圧スイッチ
１４  タグ側記憶部
１５  タグ側制御部
１５ａ  送信アンテナ
１６  受信部
１７  受信部側記憶部
１８  選択部
１９  出力部
１９ａ  スピーカ
１１０  受信部側制御部
１１１  電源
１１２  スイッチ
２１  無線タグユニット
２２  タグ側電源部
【図１】
2006280796.tif 000003
【図２】
2006280796.tif 000004
【図３】
2006280796.tif 000005
【図４】
2006280796.tif 000006
【図５】
2006280796.tif 000007
【図６】
2006280796.tif 000008
【図７】
2006280796.tif 000009
【図８】
2006280796.tif 000010
【図９】
2006280796.tif 000011
【図１０】
2006280796.tif 000012
【図１１】
2006280796.tif 000013
【図１２】
2006280796.tif 000014
【図１３】
2006280796.tif 000015